(57)【要約】【課題】掃除道具はスペースを別に占めることがなくなり、掃除道具に付着された臭いがトイレに充満しなくなる。【解決手段】主に、裏箱と、外箱と、前記外箱に合って前記外箱をカバーする親蓋とを含むゴミ箱において、前記外箱の内部には、前記裏箱を収容する収容空間と、便器通し用吸盤を収容する収容用窪みとが設けてあり、また、前記外箱の外面が裏側へ窪んで嵌合窪みを形成し、前記嵌合窪みには一つの受け箱が嵌合され、前記受け箱は便器用ブラシを収容可能であり、前記親蓋の前記便器用ブラシの取っ手に対応する箇所では欠け口が一つ形成されることを特徴とするゴミ箱。【選択図】図１
0003126588.tif 000002
【実用新案登録請求の範囲】
【請求項１】
裏箱と、外箱と、前記外箱に合って前記外箱をカバーする親蓋とを含むゴミ箱において、
前記外箱の内部には、前記裏箱を収容する収容空間と、便器通し用吸盤を収容する収容用窪みと、が設けてあり、
前記外箱の外面が裏側へ窪んで嵌合窪みを形成し、
前記嵌合窪みには一つの受け箱が嵌合され、
前記受け箱は便器用ブラシを収容可能であり、
前記親蓋の前記便器用ブラシの取っ手に対応する箇所では欠け口が一つ形成されることを特徴とする、
ゴミ箱。
【請求項２】
前記外箱の内部の前記裏箱に対応する箇所では前記裏箱に当接する支持リブが設けてあり、前記裏箱およびゴミの重量が前記支持リブで支持することを特徴とする、請求項１に記載のゴミ箱。
【請求項３】
前記親蓋の前記裏箱に対応する箇所では枢転可能の子蓋が設けてあることを特徴とする、請求項１に記載のゴミ箱。
【請求項４】
前記裏箱の両側には前記裏箱を便利に持ち上げるための取っ手がそれぞれ設けてあることを特徴とする、請求項１に記載のゴミ箱。
【請求項５】
前記受け箱の前記外箱に対応する壁面には係止部が設けてあり、二段式便器通し用吸盤の取っ手が前記係止部に係止可能であることを特徴とする、請求項１に記載のゴミ箱。
【考案の詳細な説明】
【技術分野】
【０００１】
本考案は、ゴミ箱に係り、特に、裏箱と外箱とを有し、外箱にはトイレを掃除するための掃除道具を収容する構造が設けてあるゴミ箱に関するものである。
【背景技術】
【０００２】
目下、一般のゴミ箱の主な機能は廃棄物を一旦収容することであるので、家庭用のゴミ箱は、単一の箱体に上蓋が設けてあり、又は裏箱と外箱とを有する構成である。
トイレに設置されるゴミ箱は後者の構成を持つものを採用することが一般であり、且つトイレには、ゴミ箱を放置すると共に、便器通し用吸盤および便器用ブラシを放置することも多い。
しかし、便器を清掃した、便器通し用吸盤および便器用ブラシには臭いが付着され、そのまま放置すると、トイレに臭いが充満し、またはトイレのスペースがより狭い場合には、便器通し用吸盤と便器用ブラシとゴミ箱となどを別々に放置すると、スペースはもっと狭くなる問題があった。
【考案の開示】
【考案が解決しようとする課題】
【０００３】
本考案の主な目的は、裏箱と外箱とを有し、外箱にはトイレを掃除するための掃除道具（例えば便器通し用吸盤と便器用ブラシなど）を収容する構造が設けてあり、これにより、掃除道具はスペースを別に占めることがなくなり、掃除道具に付着された臭いがトイレに充満しなくなるゴミ箱を提供する。
【課題を解決するための手段】
【０００４】
上記目的を達成するためになされた本願の第１考案は、裏箱と、外箱と、前記外箱に合って前記外箱をカバーする親蓋とを含むゴミ箱において、前記外箱の内部には、前記裏箱を収容する収容空間と、便器通し用吸盤を収容する収容用窪みとが設けてあり、前記外箱の外面が裏側へ窪んで嵌合窪みを形成し、前記嵌合窪みには一つの受け箱が嵌合され、前記受け箱は便器用ブラシを収容可能であり、前記親蓋の前記便器用ブラシの取っ手に対応する箇所では欠け口が一つ形成されることを特徴とするゴミ箱であることを要旨としている。
【０００５】
本願の第２考案では、前記外箱の内部の前記裏箱に対応する箇所では前記裏箱に当接する支持リブが設けてあり、前記裏箱およびゴミの重量が前記支持リブで支持することを特徴とする、第１考案に記載のゴミ箱であることを要旨としている。
【０００６】
本願の第３考案では、前記親蓋の前記裏箱に対応する箇所では枢転可能の子蓋が設けてあることを特徴とする、第１考案に記載のゴミ箱であることを要旨としている。
【０００７】
本願の第４考案では、前記裏箱の両側には前記裏箱を便利に持ち上げるための取っ手がそれぞれ設けてあることを特徴とする、第１考案に記載のゴミ箱であることを要旨としている。
【０００８】
本願の第５考案では、前記受け箱の前記外箱に対応する壁面には係止部が設けてあり、二段式便器通し用吸盤の取っ手が前記係止部に係止可能であることを特徴とする、第１考案に記載のゴミ箱であることを要旨としている。
【考案の効果】
【０００９】
本考案のゴミ箱によれば、次のような効果がある。
（イ）本考案のゴミ箱の外箱には便器通し用吸盤を収容するための収容用窪みが設けてあり、収容用窪みに便器通し用吸盤を設置すると、便器通し用吸盤に付着された臭いがゴミ箱の外部に放出しなくなり、トイレの内部には臭いがしない。
【００１０】
（ロ）本考案のゴミ箱の外箱には嵌合窪みが設けてあり、嵌合窪みには受け箱が設置してあり、前記受け箱により便器用ブラシに付着する水がトイレの床面に流しなくなる。
【００１１】
（ハ）便器通し用吸盤と便器用ブラシとゴミ箱とは一つのものになるので、それらを放置するために必要なスペースは従来より狭くなる。
【考案を実施するための最良の形態】
【００１２】
以下、添付図面を参照して本考案の好適な実施の形態を詳細に説明する。
【００１３】
まず、図１乃至図３を参照する。本考案のゴミ箱は、主に、裏箱１１と、外箱１２と、前記外箱１２に合って前記外箱１２をカバーする親蓋１３とを含む。
【００１４】
前記外箱の１２内部には、前記裏箱１１を収容する収容空間１２１と、便器通し用吸盤２を収容する収容用窪み１２２とが設けてあり、また、前記外箱１２の外面が裏側へ窪んで嵌合窪み１２３を形成し、前記嵌合窪み１２３には一つの受け箱１２４が嵌合され、前記受け箱１２４は便器用ブラシ３を収容可能であり、前記親蓋１３の前記便器用ブラシ３の取っ手３１に対応する箇所では欠け口１３１が一つ形成され、前記欠け口１３１により、前記便器用ブラシ３の取り出しが便利になる。
【００１５】
また、図３乃至図５を参照する。本考案のゴミ箱は、トイレを清掃するための道具を収容することができる。すなわち、前記外箱１２にある収容用窪み１２２に便器通し用吸盤２を放置することができ、前記便器通し用吸盤２の取っ手２１が外箱１２の内部に収容され、また、裏箱１１が外箱１２にある収容空間に嵌め込まれ、且つ前記裏箱１１の放置を安定するために、外箱１２の裏面の裏箱１１に対応する箇所では前記裏箱１１を当接し支持するための支持リブ１２５が設けてあり、前記支持リブ１２５により、前記裏箱１１およびゴミの重量が支持され、また、外箱１２の外面に設けられる嵌合窪み１２３に受け箱１２４が嵌め設けられ、親箱１３が上から外箱１２を被り、前記親箱１３にある欠け口１３１が嵌合窪み１２３に対応し、前記受け箱１２４に便器用ブラシ３を放置すると、前記便器用ブラシ３の取っ手３１が前記欠け口１３１に対応し、これにより、便器用ブラシ３の取り出しが便利になる。
【００１６】
また、図６と図７を参照する。本考案のゴミ箱１の外箱１２の収容用窪み１２２に便器通し用吸盤２を設置する場合には、市販している便器通し用吸盤２の取っ手２１の長さは二種類あり、本考案のゴミ箱１に収容できる便器通し用吸盤２はより短い取っ手を持つタイプであり、当該取っ手２１が外箱１２の内部に収容可能であり、なお、二段式取っ手を持つ便器通し用吸盤２を設置する場合には、外箱１２内の収容用窪み１２２に便器通し用吸盤２の本体を収容し、ニ段目の取っ手を受け箱１２４と外箱１２との間の壁面に設置し、且つ前記壁面には係止部１２６が設けてあり、前記係止部１２６にニ段目の取っ手を係止し固定することができる。
【００１７】
また、前記親箱１３の前記裏箱１１に対応する箇所では枢転可能の子蓋１３２が設けてあり、前記子蓋１３２を枢転することにより、ゴミを裏箱１１に入れることができ、且つ前記裏箱１１の両側には前記裏箱１１を便利に持ち上げるための取っ手１１１がそれぞれ設けてあり、これにより、前記裏箱１１の取り出しが便利になる。
【００１８】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１９】
【図１】本考案の分解斜視図である。
【図２】本考案の組合状態を示す斜視図である。
【図３】本考案の一部の組合状態を示す斜視図である。
【図４】本考案の一部の断面概略図１である。
【図５】本考案の一部の断面概略図２である。
【図６】本考案の別の実施例の分解斜視図である。
【図７】本考案の別の実施例の断面概略図である。
【符号の説明】
【００２０】
１        ゴミ箱                  １１      裏箱
１１１    取っ手                  １２      外箱
１２１    収容空間                １２２    収容用窪み
１２３    嵌合窪み                １２４    受け箱
１２５    支持リブ                １２６    係止部
１３      親蓋                    １３１    欠け口
１３２    子蓋                    ２        便器通し用吸盤
２１      取っ手                  ３        便器用ブラシ
３１      取っ手
【図１】
0003126588.tif 000003
【図２】
0003126588.tif 000004
【図３】
0003126588.tif 000005
【図４】
0003126588.tif 000006
【図５】
0003126588.tif 000007
【図６】
0003126588.tif 000008
【図７】
0003126588.tif 000009